(57)【要約】【課題】ディスプレイパネルの品種切り替えに必要となる作業時間を短縮し、ディスプレイパネルの点灯検査における生産性を向上させる。【解決手段】ディスプレイパネルの点灯検査装置において、ディスプレイパネル１の引出し電極に接触する複数の取出し電極を有する信号伝達手段７を配設するとともに複数のアライメント用マーク（第１マーク１８Ｌ，１８Ｒ、第２マーク１９Ｌ，１９Ｒ）を設けたパネル載置点灯ユニット１１と、パネル載置点灯ユニット１１が着脱可能に載置されるパネル点灯検査台１２と、パネル点灯検査台１２に設けられた位置認識手段（カメラ２１）とを備え、パネル載置点灯ユニット１１に載置されるディスプレイパネル１の引出し電極と信号伝達手段７の取出し電極との位置合わせを行う際のディスプレイパネル１の基準位置を、位置認識手段によって認識した複数のアライメント用マークの位置に基づく座標系において設定するように構成した。【選択図】図２
2005091453.tif 000002
【特許請求の範囲】
【請求項１】
複数の引出し電極を有するディスプレイパネルの点灯検査装置において、前記ディスプレイパネルの引出し電極に接触する複数の取出し電極を有する信号伝達手段を配設するとともに複数のアライメント用マークを設けたパネル載置点灯ユニットと、このパネル載置点灯ユニットが着脱可能に載置されるパネル点灯検査台と、このパネル点灯検査台に設けられた位置認識手段とを備え、前記パネル載置点灯ユニットに載置されるディスプレイパネルの引出し電極と前記信号伝達手段の取出し電極との位置合わせを行う際の前記ディスプレイパネルの基準位置を、前記位置認識手段によって認識した前記複数のアライメント用マークの位置に基づく座標系において設定するように構成したことを特徴とするディスプレイパネルの点灯検査装置。
【請求項２】
ディスプレイパネルに設けられたアライメント用マークの位置を、前記ディスプレイパネルの基準位置に一致させるように、前記ディスプレイパネルを移動させることにより位置合わせを行うように構成したことを特徴とする請求項１記載のディスプレイパネルの点灯検査装置。
【請求項３】
ディスプレイパネルに設けられたアライメント用マークの位置と、前記ディスプレイパネルの基準位置との位置ずれ量を求め、この位置ずれ量に応じて信号伝達手段を移動させることにより位置合わせを行うように構成したことを特徴とする請求項１記載のディスプレイパネルの点灯検査装置。
【請求項４】
パネル載置点灯ユニットをパネル点灯検査台に載置した際に、前記パネル載置点灯ユニットに設けられたアライメント用マークの位置を位置認識手段によって認識し、ディスプレイパネルの基準位置を設定するようにしたことを特徴とする請求項１記載のディスプレイパネルの点灯検査装置。
【発明の詳細な説明】
【技術分野】
【０００１】
本発明は、液晶ディスプレイやプラズマディスプレイなどのディスプレイパネルに駆動回路を組み合わせる前に、ディスプレイパネルに点灯信号を入力して表示し、点灯検査を行うディスプレイパネルの点灯検査装置に関するものである。
【背景技術】
【０００２】
一般に、液晶ディスプレイやプラズマディスプレイなどのフラットディスプレイはパネルに駆動回路が実装され製品化される。製造工程では、実装工程への不良パネルの流出を防ぐため、駆動回路実装前に点灯信号を入力し、点灯検査を行っている。
【０００３】
この種のディスプレイパネルの点灯検査装置として、検査用プローブピンを用いたもの（例えば特許文献１参照）が知られているが、この検査用プローブピンに代えて、フレキシブルプリント配線板（ＦＰＣ）に形成した電極を点灯検査用のプローブとして用いることも考えられている。
【０００４】
通常、ディスプレイパネルは表示領域に複数本の電極を有しており、その表示領域外の端部には、前記電極を延長するとともに間隔を狭くすることにより、複数の引出し電極を有する電極端子ブロックが複数配置されている。このディスプレイパネルの電極端子ブロックにおける引出し電極のピッチは、例えば、４２型標準タイプのプラズマディスプレイパネルのアドレス電極を延長して形成された引出し電極を例にあげれば、３００μｍ程度であり、高精細タイプなどではより細かいピッチも用いられている。
【０００５】
そして、ＦＰＣを点灯検査用のプローブとして用いる検査方法においては、このようなディスプレイパネルの引出し電極に、ＦＰＣからなる点灯検査用のプローブの取出し電極を接触させ、このプローブを通してディスプレイパネルに通電を行って点灯させることにより、点灯検査を行っている。
【０００６】
しかしながら、このようなＦＰＣを用いた検査方法では、検査対象となるディスプレイパネルの品種切り替えを行う場合、すなわち、品種の異なるディスプレイパネルを検査しようとする場合には、引出し電極のピッチや電極本数が前のディスプレイパネルのものと異なるため、その引出し電極に合わせて、ＦＰＣからなるプローブの取出し電極のピッチや電極本数を変更する必要が生じる。
【０００７】
このとき、数十個のプローブを高い精度で位置決めし、またＦＰＣからなる点灯検査用のプローブをディスプレイパネルの電極に接触させるための機構部分の精密な調整が必要であるため、品種切り替えと調整作業に３〜４時間程度必要となり、品種切り替えの頻度が多くなると、点灯検査装置の稼働率が低下し、生産性が悪化するという課題が発生していた。
【特許文献１】特許第２９５３０３９号公報
【発明の開示】
【発明が解決しようとする課題】
【０００８】
本発明は、このような課題に鑑みてなされたもので、ディスプレイパネルの品種切り替えに必要となる作業時間を短縮し、ディスプレイパネルの点灯検査における生産性を向上させることを目的とする。
【課題を解決するための手段】
【０００９】
上記の目的を達成するために、本発明は、複数の引出し電極を有するディスプレイパネルの点灯検査装置において、前記ディスプレイパネルの引出し電極に接触する複数の取出し電極を有する信号伝達手段を配設するとともに複数のアライメント用マークを設けたパネル載置点灯ユニットと、このパネル載置点灯ユニットが着脱可能に載置されるパネル点灯検査台と、このパネル点灯検査台に設けられた位置認識手段とを備え、前記パネル載置点灯ユニットに載置されるディスプレイパネルの引出し電極と前記信号伝達手段の取出し電極との位置合わせを行う際の前記ディスプレイパネルの基準位置を、前記位置認識手段によって認識した前記複数のアライメント用マークの位置に基づく座標系において設定するように構成したことを特徴とするディスプレイパネルの点灯検査装置である。
【発明の効果】
【００１０】
本発明によれば、ディスプレイパネルの点灯検査において、ディスプレイパネルの品種切り替えに必要となる作業時間を短縮することができ、ディスプレイパネルの点灯検査における生産性を向上させることができる。また、ディスプレイパネルの引出し電極と信号伝達手段の取出し電極とを精度よく接触させることができる。
【発明を実施するための最良の形態】
【００１１】
すなわち、本発明の請求項１に記載の発明は、複数の引出し電極を有するディスプレイパネルの点灯検査装置において、前記ディスプレイパネルの引出し電極に接触する複数の取出し電極を有する信号伝達手段を配設するとともに複数のアライメント用マークを設けたパネル載置点灯ユニットと、このパネル載置点灯ユニットが着脱可能に載置されるパネル点灯検査台と、このパネル点灯検査台に設けられた位置認識手段とを備え、前記パネル載置点灯ユニットに載置されるディスプレイパネルの引出し電極と前記信号伝達手段の取出し電極との位置合わせを行う際の前記ディスプレイパネルの基準位置を、前記位置認識手段によって認識した前記複数のアライメント用マークの位置に基づく座標系において設定するように構成したことを特徴とするディスプレイパネルの点灯検査装置である。
【００１２】
また、請求項２に記載の発明は、請求項１に記載の発明において、ディスプレイパネルに設けられたアライメント用マークの位置を、前記ディスプレイパネルの基準位置に一致させるように、前記ディスプレイパネルを移動させることにより位置合わせを行うように構成したことを特徴とする。
【００１３】
また、請求項３に記載の発明は、請求項１に記載の発明において、ディスプレイパネルに設けられたアライメント用マークの位置と、前記ディスプレイパネルの基準位置との位置ずれ量を求め、この位置ずれ量に応じて信号伝達手段を移動させることにより位置合わせを行うように構成したことを特徴とする。
【００１４】
また、請求項４に記載の発明は、請求項１に記載の発明において、パネル載置点灯ユニットをパネル点灯検査台に載置した際に、前記パネル載置点灯ユニットに設けられたアライメント用マークの位置を位置認識手段によって認識し、ディスプレイパネルの基準位置を設定するようにしたことを特徴とする。
【００１５】
以下、本発明の一実施の形態によるディスプレイパネルの点灯検査装置について、図面を参照しながら説明する。
【００１６】
図１は、本発明の一実施の形態によるディスプレイパネルの点灯検査において点灯信号を供給するときのディスプレイパネルの端部を示す概略構成図である。ディスプレイパネル１として、例えばプラズマディスプレイパネルでは、対向して配置された一対の基板２および基板３の各対向面上にそれぞれ複数の電極４が互いに直交する方向に形成されている。各基板２，３の周辺端部には、電極４を延長することにより形成された複数の引出し電極５を有する電極端子ブロック６が複数配置され、この各電極端子ブロック６には、点灯信号を供給するための信号伝達手段７が接触した状態で保持される。信号伝達手段７は、絶縁性フィルム８間に銅箔などの導電性パターン９を形成したフレキシブルプリント配線板（ＦＰＣ）により構成され、導電性パターン９の先端部を絶縁性フィルム８から露出させることにより、基板２，３の端部に形成された引出し電極５のそれぞれに電気的に接触させるための取出し電極１０を設けている。
【００１７】
図２に本発明の実施の形態１によるディスプレイパネルの点灯検査装置の全体構成を示している。図２に示すように、検査対象となるディスプレイパネル１を載置するためのパネル載置点灯ユニット１１は、パネル点灯検査台１２とは分離する構成となっており、パネル点灯検査台１２上に設けられた点灯ユニット位置決め部材１３に対して、点灯ユニット固定機構１４によりパネル載置点灯ユニット１１を押しつけて固定するようになっている。
【００１８】
パネル載置点灯ユニット１１では、ユニットベース１５上に、ディスプレイパネル１を保持するためのパネル保持台（図示せず）が設けられ、パネル保持台の周囲の４箇所にパネル受け１６が移動可能に設けられており、４つのパネル受け１６を移動させることにより、ディスプレイパネル１の位置調整を行うことができる。また、ディスプレイパネル１の端部に対応する位置に、ディスプレイパネル１に点灯信号を供給するための信号伝達手段７が配置されており、信号伝達手段７をディスプレイパネル１に接続するための機構については図示を省略している。ユニットベース１５の左側端部のアライメントマーク部１７Ｌには、第１マーク１８Ｌおよび第２マーク１９Ｌからなる２つのアライメント用マークが設けられ、ユニットベース１５の右側端部のアライメントマーク部１７Ｒには、第１マーク１８Ｒおよび第２マーク１９Ｒからなる２つのアライメント用マークが設けられている。また、ディスプレイパネル１の左側端部には、アライメント用マークである第３マーク２０Ｌが設けられ、ディスプレイパネル１の右側端部には、アライメント用マークである第３マーク２０Ｒが設けられている。
【００１９】
さらに、パネル点灯検査台１２の左右両側には位置認識手段であるカメラ２１が設けられており、カメラ２１はカメラ移動軸２２によってｘ方向およびｙ方向に移動する。このカメラ２１は、第１マーク１８Ｌ，１８Ｒ、第２マーク１９Ｌ，１９Ｒおよび第３マーク２０Ｌ，２０Ｒの位置を認識することにより、ディスプレイパネル１をパネル載置点灯ユニット１１に載置するときのアライメントを行うものである。
【００２０】
図３は、パネル載置点灯ユニット１１において、ディスプレイパネル１に信号伝達手段７を接続するための機構の一例を示す側面図である。ディスプレイパネル１がパネル保持台２３上に保持された状態を示しており、パネル保持台２３の背面側には、ディスプレイパネル１を点灯表示させるための点灯信号発生手段２４を取り付けており、点灯信号発生手段２４で発生した信号は信号伝達手段７を介してディスプレイパネル１に供給される。点灯信号発生手段２４の取り付け場所は、パネル保持台２３の背面側に限らず、信号伝達手段７と接続できる場所であればよい。また、ユニットベース１５上に、矢印２５の方向に移動可能なスライドベース２６を設けており、スライドベース２６上には、信号伝達手段７の取出し電極１０とディスプレイパネル１の引出し電極５とが接触できるように信号伝達手段７を所定の高さに保持する保持手段２７、および、信号伝達手段７の取出し電極１０とディスプレイパネル１の引出し電極５とを接触させてその状態を維持する接続ユニット２８とを設けている。そして、スライドベース２６、保持手段２７および接続ユニット２８によって接続制御ブロック２９を構成する。接続ユニット２８は、先端部が開閉自在となるように軸支された押えユニット２８ａおよび受けユニット２８ｂと、それらを回動させるための駆動手段（図示せず）とを有しており、押えユニット２８ａおよび受けユニット２８ｂによって信号伝達手段７をディスプレイパネル１に押しつけることにより、信号伝達手段７の取出し電極１０をディスプレイパネル１の引出し電極５に接触させた状態を維持するように構成されている。
【００２１】
次に、上記構成の点灯検査装置の動作について図２および図３を参照して説明する。
【００２２】
まず、パネル点灯検査台１２にパネル載置点灯ユニット１１を固定する。次に、検査対象のディスプレイパネル１をパネル保持台２３上に載置するが、その前に、接続制御ブロック２９とディスプレイパネル１との干渉を避けるため、接続制御ブロック２９をパネル保持台２３から離れる方向に移動させるとともに、押えユニット２８ａと受けユニット２８ｂとを開いた状態にする。この状態でディスプレイパネル１をパネル受け１６およびパネル保持台２３上に載せ、カメラ２１とパネル受け１６を動作させることによりディスプレイパネル１のアライメントを行うが、その具体的な方法については後述する。そして、ディスプレイパネル１のアライメントを行った後、接続制御ブロック２９をディスプレイパネル１に近づく方向に移動させ、押えユニット２８ａと受けユニット２８ｂの少なくとも一方を回動させて押えユニット２８ａと受けユニット２８ｂとの間にディスプレイパネル１の端部と信号伝達手段７の端部を挟み込む。これにより、ディスプレイパネル１の引出し電極５と信号伝達手段７の取出し電極１０とが電気的に接触した状態で保持される。
【００２３】
以上の動作の後、点灯信号発生手段２４から信号伝達手段７を介してディスプレイパネル１に点灯信号を供給し、点灯表示して点灯検査を行う。点灯検査が終了すると、押えユニット２８ａと受けユニット２８ｂとによってディスプレイパネル１の端部と信号伝達手段７の端部を挟んだ状態を解除した後、接続制御ブロック２９とディスプレイパネル１との干渉を避けるため、接続制御ブロック２９をパネル保持台２３から離れる方向に移動させる。続いて、ディスプレイパネル１をパネル保持台２３から取り外す。以降は、上記と同じ動作により次の検査対象のディスプレイパネル１をパネル保持台２３に装着し、点灯検査を繰り返し行う。
【００２４】
ところで、検査対象となるディスプレイパネル１の品種切り替えを行う場合、例えば、品種の異なるディスプレイパネル１では、電極端子ブロック６のピッチや電極本数などが異なるため、その電極端子ブロック６に合わせて、信号伝達手段７における取出し電極１０のピッチや電極本数を変更しなければならない。このため、品種変更を行う場合は、検査対象となるディスプレイパネル１の電極端子ブロック６に合わせて信号伝達手段７を取り付け交換するとともに、信号伝達手段７の取出し電極１０をディスプレイパネル１の引出し電極５に接触させるための機構部分の調整が必要である。
【００２５】
本発明の点灯検査装置では、それぞれの品種のディスプレイパネル１に対応するように、電極端子ブロック６の電極本数と電極ピッチ、ディスプレイパネル１の大きさなどに合わせて、パネル載置点灯ユニット１１を用意している。すなわち、パネル載置点灯ユニット１１は、各品種のディスプレイパネル１の仕様に合わせた信号伝達手段７、点灯信号発生手段２４や接続制御ブロック２９などを有しており、ディスプレイパネル１をユニットベース１５上の所定の位置に配置すれば、ディスプレイパネル１の引出し電極５と信号伝達手段７の取出し電極１０とが精度よく接触できるように、ユニットベース１５上における保持手段２７の位置を予め調整している。このため、品種切り替えの際には、品種毎に対応して作製されたパネル載置点灯ユニット１１自体を交換してパネル点灯検査台１２上に固定すればよい。したがって、品種切り替えとそれに伴う調整作業に必要となる作業時間を大幅に短縮することができる。
【００２６】
次に、ディスプレイパネル１をパネル載置点灯ユニット１１上の所定の位置に配置するときのアライメントの方法について説明する。図４は、パネル点灯検査台１２上にパネル載置点灯ユニット１１を位置決め固定した状態において、アライメント用マークの周辺部分を簡略化して示したものである。
【００２７】
まず、アライメントマーク部１７Ｌに設けた第１マーク１８Ｌ、第２マーク１９Ｌの位置を左側のカメラ２１により認識し、アライメントマーク部１７Ｒに設けた第１マーク１８Ｒ、第２マーク１９Ｒの位置を右側のカメラ２１により認識する。この位置認識に基づいて、第１マーク１８Ｌから第２マーク１９Ｌへ向かう方向を位置決め基準方向３０Ｌとし、第１マーク１８Ｌの位置から、位置決め基準方向３０Ｌに対して所定の角度θＬをなす方向に所定の距離ＬＬだけ離れた位置を算出してアライメント位置３１Ｌとする。また、第１マーク１８Ｒから第２マーク１９Ｒへ向かう方向を位置決め基準方向３０Ｒとし、第１マーク１８Ｒの位置から、位置決め基準方向３０Ｒに対して所定の角度θＲをなす方向に所定の距離ＬＲだけ離れた位置を算出してアライメント位置３１Ｒとする。そして、ディスプレイパネル１に設けられた第３マーク２０Ｌをアライメント位置３１Ｌに一致させるとともに、第３マーク２０Ｒをアライメント位置３１Ｒに一致させるように、パネル受け１６を移動させてディスプレイパネル１のアライメントを行う。
【００２８】
ここで、所定の角度θＬ，θＲおよび所定の距離ＬＬ，ＬＲは、ディスプレイパネル１がパネル載置点灯ユニット１１の所定の位置に載置されるように予め決められたものであり、接続制御ブロック２９をディスプレイパネル１に近づく方向に移動させディスプレイパネル１の端部と信号伝達手段７の端部を接続ユニット２８で挟み込んだとき、ディスプレイパネル１の引出し電極５と信号伝達手段７の取出し電極１０とを精度よく接触させることができるように、所定の角度θＬ，θＲおよび所定の距離ＬＬ，ＬＲが決められている。すなわち、アライメント位置３１Ｌ，３１Ｒは、パネル載置点灯ユニット１１に載置されるディスプレイパネル１の引出し電極５と信号伝達手段７の取出し電極１０との位置合わせを行う際のディスプレイパネル１の基準位置となる。
【００２９】
ところで、本実施の形態によるディスプレイパネルの点灯検査装置では、検査対象となるディスプレイパネル１の品種切り替えを行う場合、前述したようにパネル点灯検査台１２上に載置したパネル載置点灯ユニット１１の交換を行う。このようなパネル載置点灯ユニット１１の交換を行うとき、その作業の邪魔にならないようにカメラ移動軸２２を退避できる（カメラ２１はカメラ移動軸２２と一緒に退避する）ように構成されており、左側および右側に配置されたカメラ移動軸２２は、左右独立して動かす構成となっている。このため、カメラ移動軸２２を一旦退避させた後、それらを元の位置に復帰させたとき、カメラ移動軸２２の位置が退避前のその位置に対してずれることがある。例えば図４に示すように、カメラ移動軸２２が退避する前にはカメラ移動軸２２の中心線が第１の位置３２（実線）であったものが、退避後に元の位置に復帰させたときに第２の位置３３（破線）にずれる。
【００３０】
しかしながら、このようなカメラ移動軸２２の位置ずれが生じた場合でも、本実施の形態によるアライメントの方法によれば、ディスプレイパネル１のアライメント位置を再現よく同じ位置に設定することができる。本実施の形態では、ディスプレイパネル１のアライメント位置３１Ｌ，３１Ｒは、パネル載置点灯ユニット１１に設けられた第１マーク１８Ｌ，１８Ｒと第２マーク１９Ｌ，１９Ｒとから決められた位置決め基準方向３０Ｌ，３０Ｒと、第１マーク１８Ｌ，１８Ｒの位置に基づいて設定される。すなわち、カメラ２１によって認識された第１マーク１８Ｌおよび第２マーク１９Ｌの位置に基づく座標系においてアライメント位置３１Ｌを設定し、カメラ２１によって認識された第１マーク１８Ｒおよび第２マーク１９Ｒの位置に基づく座標系においてアライメント位置３１Ｒを設定している。このため、カメラ移動軸２２の位置ずれが生じても、その位置ずれによって、設定されるディスプレイパネル１のアライメント位置が影響を受けることを抑制することができる。
【００３１】
これに対して、図５に示すように、パネル載置点灯ユニット１１の左右両端部のアライメントマーク部１７Ｌ，１７Ｒにそれぞれ１個のアライメントマーク３４Ｌ，３４Ｒを設けた場合には、ディスプレイパネル１の載置位置がずれることがある。この場合、カメラ移動軸２２の軸方向を基準としてアライメントマーク３４Ｌ，３４Ｒの位置から所定の方向（θＬ，θＲ）に所定の距離（ＬＬ，ＬＲ）だけ離れた位置を算出してアライメント位置を決めることになり、前述のようにカメラ移動軸２２の位置が第１の位置３２（実線）と第２の位置３３（破線）のようにずれたとき、第１の位置３２にあるカメラ移動軸２２上を動くカメラ２１を用いることによりアライメント位置３５Ｌ，３５Ｒが決定され、第２の位置３３にあるカメラ移動軸２２上を動くカメラ２１を用いることによりアライメント位置３６Ｌ，３６Ｒが決定される。そして、図５のように、アライメント位置３５Ｌとアライメント位置３６Ｌとは異なる位置となり、アライメント位置３５Ｒとアライメント位置３６Ｒとは異なる位置となる。このため、カメラ移動軸２２がずれることによって、ディスプレイパネル１をアライメントしたときの位置がずれてしまい、ディスプレイパネル１の引出し電極５と信号伝達手段７の取出し電極１０とを精度よく接触させることができなくなる。
【００３２】
このように、本実施の形態によれば、パネル載置点灯ユニット１１に設けた第１マーク１８Ｌ，１８Ｒおよび第２マーク１９Ｌ，１９Ｒから決まる位置決め基準方向３０Ｌ，３０Ｒと、第１マーク１８Ｌ，１８Ｒの位置とに基づいて、ディスプレイパネル１のアライメント位置を設定することにより、カメラ移動軸２２の位置がずれた場合でもパネル載置点灯ユニット１１上に載置されるディスプレイパネル１の位置は同じ位置となり、アライメントの際にディスプレイパネル１がずれることを抑制することができる。したがって、ディスプレイパネル１の引出し電極５と信号伝達手段７の取出し電極１０とを精度よく接触させることができ、ディスプレイパネル１の点灯検査時における接続ミスの発生を抑制することができる。
【００３３】
なお、カメラ移動軸２２のずれが発生するのは、パネル載置点灯ユニット１１を交換するときであるので、アライメント位置３１Ｌ，３１Ｒを決める動作は、パネル載置点灯ユニット１１を交換したときに行えばよく、点灯検査対象のディスプレイパネル１を交換するたびにアライメント位置３１Ｌ，３１Ｒを決める必要はない。
【００３４】
図６に本発明の実施の形態２によるディスプレイパネルの点灯検査装置の全体構成を示しており、実施の形態１による点灯検査装置と同じ部分には同じ符号を付けている。実施の形態１とはパネル載置点灯ユニット３７の構成が異なり、ディスプレイパネル１を受けるパネル受け３８は位置調整移動しないように構成されている。また、ディスプレイパネル１の短辺側に配置された複数の信号伝達手段７ａは、一体となって移動するようにスライドベース３９ａに固定されており、ディスプレイパネル１の長辺側に配置された複数の信号伝達手段７ｂは、一体となって移動するようにスライドベース３９ｂに固定されている。ここで、信号伝達手段７ａは、ディスプレイパネル１を交換する際に退避できるようｘ方向に移動するとともに、ｙ方向には位置の微調整ができるように移動する。また、信号伝達手段７ｂは、ディスプレイパネル１を交換する際に退避できるようｙ方向に移動するとともに、ｘ方向には位置の微調整ができるように移動する。なお、信号伝達手段７ａ，７ｂをディスプレイパネル１に接続するための機構については図示を省略しており、その機構は図３を用いて説明した機構と同様である。
【００３５】
実施の形態２による点灯検査装置を用いてディスプレイパネル１の点灯検査を行う際、その手順は実施の形態１による点灯検査装置を用いて行う場合と同様であるが、実施の形態１においては、パネル受け１６を動かせてディスプレイパネル１の位置調整を行っているのに対し、実施の形態２においては、載置されたディスプレイパネル１の位置に応じて信号伝達手段７ａ，７ｂの位置を微調整することにより、ディスプレイパネル１の引出し電極５と信号伝達手段７の取出し電極１０とを精度よく接触させるようにしている。次にその方法について図７を用いて説明する。図７は、パネル点灯検査台１２上にパネル載置点灯ユニット３７を位置決め固定した状態において、アライメント用マークの周辺部分を簡略化して示したものである。
【００３６】
まず、アライメントマーク部１７Ｌに設けた第１マーク１８Ｌ、第２マーク１９Ｌの位置を左側のカメラ２１により認識し、アライメントマーク部１７Ｒに設けた第１マーク１８Ｒ、第２マーク１９Ｒの位置を右側のカメラ２１により認識する。この位置認識に基づいて、第１マーク１８Ｌから第２マーク１９Ｌへ向かう方向を位置決め基準方向３０Ｌとし、第１マーク１８Ｌの位置から、位置決め基準方向３０Ｌに対して所定の角度θＬをなす方向に所定の距離ＬＬだけ離れた位置を算出してアライメント位置３１Ｌとする。また、第１マーク１８Ｒから第２マーク１９Ｒへ向かう方向を位置決め基準方向３０Ｒとし、第１マーク１８Ｒの位置から、位置決め基準方向３０Ｒに対して所定の角度θＲをなす方向に所定の距離ＬＲだけ離れた位置を算出してアライメント位置３１Ｒとする。また、ディスプレイパネル１に設けられた第３マーク２０Ｌ，２０Ｒの位置をそれぞれ左側、右側のカメラ２１により認識する。そして、この第３マーク２０Ｌ，２０Ｒの位置とアライメント位置３１Ｌ，３１Ｒとのｘ方向およびｙ方向の位置ずれ量を算出し、この位置ずれ量に応じて信号伝達手段７ａ，７ｂの位置を微調整する。すなわち、ｘ方向の位置ずれ量に応じてスライドベース３９ｂをｘ方向に移動させて微調整し、ｙ方向の位置ずれ量に応じてスライドベース３９ａをｙ方向に移動させて微調整することにより、ディスプレイパネル１の引出し電極５と信号伝達手段７の取出し電極１０とを精度よく接触させることができる。
【００３７】
このように、アライメント位置３１Ｌ，３１Ｒは、パネル載置点灯ユニット３７に載置されるディスプレイパネル１の引出し電極５と信号伝達手段７の取出し電極１０との位置合わせを行う際のディスプレイパネル１の基準位置となる。
【００３８】
この実施の形態２の点灯検査装置においても、実施の形態１の場合と同じく、パネル載置点灯ユニット３７に設けた第１マーク１８Ｌ，１８Ｒおよび第２マーク１９Ｌ，１９Ｒから決まる位置決め基準方向３０Ｌ，３０Ｒと、第１マーク１８Ｌ，１８Ｒの位置とに基づいて、ディスプレイパネル１のアライメント位置３１Ｌ，３１Ｒを設定している。すなわち、カメラ２１によって認識された第１マーク１８Ｌおよび第２マーク１９Ｌの位置に基づく座標系においてアライメント位置３１Ｌを設定し、カメラ２１によって認識された第１マーク１８Ｒおよび第２マーク１９Ｒの位置に基づく座標系においてアライメント位置３１Ｒを設定している。このため、カメラ移動軸２２の位置４０がずれた場合でもディスプレイパネル１のアライメント位置３１Ｌ，３１Ｒは同じ位置が得られる。したがって、ディスプレイパネル１の引出し電極５と信号伝達手段７の取出し電極１０とを精度よく接触させることができ、ディスプレイパネル１の点灯検査時における接続ミスの発生を抑制することができる。
【産業上の利用可能性】
【００３９】
以上のように、本発明によれば、ディスプレイパネルの品種切り替えに必要となる作業時間を短縮することができ、ディスプレイパネルの引出し電極と信号伝達手段の取出し電極とを精度よく接触させることができ、ディスプレイパネルの点灯検査に有用である。
【図面の簡単な説明】
【００４０】
【図１】本発明の一実施の形態によるディスプレイパネルの点灯検査時におけるディスプレイパネルの端部を示す概略構成図
【図２】本発明の実施の形態１におけるディスプレイパネルの点灯検査装置の全体構成を示す平面図
【図３】同点灯検査装置のパネル載置点灯ユニットにおいてディスプレイパネルに信号伝達手段を接続するための機構の一例を示す側面図
【図４】同点灯検査装置においてディスプレイパネルのアライメントの方法を説明するための概略図
【図５】ディスプレイパネルのアライメントの際に位置ずれを起こす場合を説明するための概略図
【図６】本発明の実施の形態２におけるディスプレイパネルの点灯検査装置の全体構成を示す平面図
【図７】同点灯検査装置においてディスプレイパネルのアライメントの方法を説明するための概略図
【符号の説明】
【００４１】
１  ディスプレイパネル
５  引出し電極
７，７ａ，７ｂ  信号伝達手段
１０  取出し電極
１１  パネル載置点灯ユニット
１２  パネル点灯検査台
１６  パネル受け
１８Ｌ，１８Ｒ  第１マーク
１９Ｌ，１９Ｒ  第２マーク
２０Ｌ，２０Ｒ  第３マーク
２１  カメラ
３０Ｌ，３０Ｒ  位置決め基準方向
３７  パネル載置点灯ユニット
３８  パネル受け
３９ａ，３９ｂ  スライドベース
【図１】
2005091453.tif 000003
【図２】
2005091453.tif 000004
【図３】
2005091453.tif 000005
【図４】
2005091453.tif 000006
【図５】
2005091453.tif 000007
【図６】
2005091453.tif 000008
【図７】
2005091453.tif 000009